(57)【要約】【課題】照明器具本体からのルーバの脱落を２重に防止することができる照明器具および照明器具用部材を提供する。【解決手段】本発明に係る照明器具１は、照明器具本体２、ルーバ３、軸部材４および軸保持部、掛受部６ａおよび引掛部６ｂを備える。軸部材４および軸保持部は、引掛部６ｂを掛受部６ａから外した状態で、ルーバ３を照明器具本体２に対し回動可能に支持し、照明器具本体２およびルーバ３は、照明器具本体２内面のルーバ３の回動軸に直交する第１の面７ａまたはルーバ３外面のルーバ３の回動軸に直交する第２の面７ｂに、ルーバ３の回動を係止する係止手段を備える。好ましくは、係止手段は、第１の面７ａに設けられた第１の突起部８ａと、第２の面７ｂに設けられた第２の突起部８ｂとが接触することにより係止する。【選択図】図１
2010262837.tif 000002
【特許請求の範囲】
【請求項１】
開口部を有する照明器具本体と、前記開口部に取り付けられるルーバと、前記ルーバを前記照明器具本体に対し回動可能に支持する軸部材と、前記軸部材を保持する軸保持部と、前記ルーバを前記照明器具本体に掛止するための引掛部と、前記引掛部を掛止できる掛受部とを備え、
前記軸部材および前記軸保持部は、前記引掛部を前記掛受部から外した状態で、前記ルーバを前記照明器具本体に対し回動可能に支持し、
前記照明器具本体および前記ルーバは、前記ルーバの回動する外面と前記照明器具本体の内面との間に、前記ルーバの回動を係止する係止手段を備えることを特徴とする照明器具。
【請求項２】
前記係止手段は、前記照明器具本体内面の前記ルーバの回動軸に直交する第１の面と、前記ルーバ外面の前記ルーバの回動軸に直交する第２の面とに設けられていることを特徴とする請求項１に記載の照明器具。
【請求項３】
前記係止手段は、前記照明器具本体の内面に設けられた第１の突起部と、前記ルーバの外面に設けられた第２の突起部とが接触することにより前記ルーバを係止することを特徴とする請求項１または２に記載の照明器具。
【請求項４】
前記第１の突起部は、前記照明器具本体の前記第１の面の下部に下辺に沿って設けられており、
前記第２の突起部は、前記ルーバの前記第２の面の上部に上辺に沿って設けられていることを特徴とする請求項３に記載の照明器具。
【請求項５】
前記第１の突起部は高さ略１ｍｍの略コの字状の突起であり、前記第２の突起部は高さ略１ｍｍの略Ｌ字状の突起であり、それぞれの突起の頂点がずれた状態で、かつ、係止する際に重なり合う状態で設けられていることを特徴とする請求項３または４に記載の照明器具。
【請求項６】
前記第１の突起部または前記第２の突起部のいずれか一方の突起の端部に面取りが施されていることを特徴とする請求項３ないし５のいずれか１項に記載の照明器具。
【請求項７】
前記照明器具本体は前記掛受部を備え、前記ルーバは前記引掛部を備えることを特徴とする請求項１ないし６のいずれか１項に記載の照明器具。
【請求項８】
開口部を有する照明器具本体に取り付けられ、
掛受部と前記掛受部に掛止できる引掛部により、前記照明器具本体に掛止され、
前記引掛部を前記掛受部から外した状態で、軸部材と前記軸部材を保持する軸保持部によって、前記照明器具本体に対し回動可能に支持され、
該照明器具用部材の外面に該照明器具用部材の回動を係止する係止手段を備えることを特徴とする照明器具用部材。
【発明の詳細な説明】
【技術分野】
【０００１】
本発明は、ランプの光の配光を制御する照明器具用部材を備える照明器具および該照明器具用部材に関する。
【背景技術】
【０００２】
照明器具本体に、ランプからの光の配光を制御するルーバが取り付けられた照明器具が用いられている。このような照明器具では、照明器具本体の下面の矩形状に開口した開口部を覆うような形で、ルーバが取り付けられる。そのため、ランプ交換時にルーバを取り外す必要がある。しかし、ランプ交換の度にルーバを照明器具本体から取り外していると、ランプ交換に手間が掛かる。特に照明器具が高所に取り付けられている場合、はずしたルーバを安全な場所に置いてランプを交換し、再びルーバを取りに行って付ける必要がある。
【０００３】
そこで、ルーバを照明器具本体から取り外すことなくランプ交換ができるよう、照明器具本体に対してルーバを回動可能に取り付ける工夫がなされている。この照明器具では、ルーバおよび照明器具本体の片側に軸となる箇所を、もう一方の側に引掛部材等の掛止箇所をそれぞれ設ける。軸となる箇所は、照明器具本体に対し水平方向にルーバを移動できるよう、長穴などで形成されている。ランプ交換の際には、ルーバを照明器具に対し水平方向に移動させることによって、引掛部材等の掛止箇所が外れる。すると、ルーバは軸部分を中心に回動し、照明器具本体の下面は開口した状態となる。このような構造の照明器具は、ランプ交換時にルーバを取り外す必要がなく、かつ、ドライバーなどの工具も必要なく簡単に作業ができる。そこで、当該構造を用いた照明器具が提案されている。
【０００４】
例えば、特許文献１には、できるだけ細い枠で光制御部材の着脱が容易な照明器具が紹介されている。当該照明器具は、開口部を有し開口部内にランプを収納する器具本体と、外枠を有して開口部の内側に収納されたルーバと、ルーバの一端側においてルーバが開口部の開口面に略平行に移動可能でかつ開口部を開閉可能となるようにルーバを器具本体に保持する軸支部と、ルーバが開口面に略平行に移動することによりルーバの他端側を器具本体に着脱自在に取付ける取付部とを備えている。
【０００５】
また、特許文献２には、ルーバの着脱を行わず、ルーバを容易に開閉できる蛍光灯器具について紹介されている。この蛍光灯器具では、ルーバの全体を持ち上げその後に水平に移動させると係止切込み・係止受け孔間の係止が解除されかつ横向き支軸が水平部に移行して該ルーバの傾斜が可能となるように係止切込み・係止受け孔・Ｌ字形スリット・横向き支軸の各配置および形状が定められている。
【０００６】
特許文献３には、一方の端部に、器具に取り付けられた軸を受ける長穴を有し、オプション部材を長穴の長径方向にスライド自在となるよう保持する軸保持部を備え、他方の端部に器具の端部にあるスリットに引掛ける突起を有する引掛部を備えた照明器具のオプション部材が紹介されている。
【０００７】
また、特許文献４には、器具本体が一対の突出片と一対のピンを、ルーバが係止片と長孔を有する照明器具について記載されている。この照明器具では、長孔は、係止片および突出片が係合した状態でピンが配置される固定位置と、係止片および突出片の係合が解除された状態でピンが配置される回転位置とを、ピンが通る幅寸法の縦案内部および横案内部で連結するように延長されている。
【先行技術文献】
【特許文献】
【０００８】
【特許文献１】特開２００５−０３８７９０号公報
【特許文献２】特開２００７−０１２５７７号公報
【特許文献３】特開２００７−２００７８９号公報
【特許文献４】特開２００８−１２３９８７号公報
【発明の概要】
【発明が解決しようとする課題】
【０００９】
前述した特許文献１ないし４に記載の照明器具のルーバ取り付け構造は、いずれも照明器具本体またはルーバの一方の端部に軸部分を、もう一方の端部に引掛または係止部分をそれぞれ有するものである。この引掛または係止部分は、ランプ交換時に容易に作業できるよう簡単に外すことができる構造のものが多い。しかし、簡単に外すことができる構造ということは、外れやすい構造であるとも言え、正確に引掛または係止されていない場合等には、振動などにより外れてしまうことも想定される。この場合、ルーバは、軸部分が照明器具本体に固定されているため照明器具本体から外れて落下してくることはない。しかし、引掛部分が外れると、ルーバは軸部分を中心に勢いよく回動するため、照明器具本体やルーバ枠が傷付いたり、変形したりする可能性がある。
【００１０】
また、天井に取り付けられた照明器具のランプ交換時においては、通常、引掛部分を外した後、ルーバを手で支えながら降ろす。特許文献１ないし４に記載の照明器具のルーバ取り付け構造は、何れも引掛または係止箇所が１箇所である。そのため、不注意等により手が離れてしまった場合、もしくは手で支える前にルーバの引掛部分が外れてしまった場合には、頭上にルーバが回動しながら落ちてくることになる。
【００１１】
本発明は、上記事情に鑑みてなされたものであり、照明器具本体からのルーバの脱落を２重に防止することができる照明器具および照明器具用部材の提供を目的とする。
【課題を解決するための手段】
【００１２】
本発明の第１の観点に係る照明器具は、開口部を有する照明器具本体と、前記開口部に取り付けられるルーバと、前記ルーバを前記照明器具本体に対し回動可能に支持する軸部材と、前記軸部材を保持する軸保持部と、前記ルーバを前記照明器具本体に掛止するための引掛部と、前記引掛部を掛止できる掛受部とを備え、
前記軸部材および前記軸保持部は、前記引掛部を前記掛受部から外した状態で、前記ルーバを前記照明器具本体に対し回動可能に支持し、
前記照明器具本体および前記ルーバは、前記ルーバの回動する外面と前記照明器具本体の内面との間に、前記ルーバの回動を係止する係止手段を備えることを特徴とする。
【００１３】
本発明の第２の観点に係る照明器具用部材は、開口部を有する照明器具本体に取り付けられ、
掛受部と前記掛受部に掛止できる引掛部により、前記照明器具本体に掛止され、
前記引掛部を前記掛受部から外した状態で、軸部材と前記軸部材を保持する軸保持部によって、前記照明器具本体に対し回動可能に支持され、
該照明器具用部材の外面に該照明器具用部材の回動を係止する係止手段を備えることを特徴とする。
【発明の効果】
【００１４】
本発明の照明器具および照明器具用部材によれば、照明器具本体からのルーバの脱落を２重に防止することができる。
【図面の簡単な説明】
【００１５】
【図１】本発明の実施の形態１に係る照明器具の構成例を示す分解斜視図である。
【図２】実施の形態１に係る照明器具の構成例を示す斜視図である。
【図３】実施の形態１に係る照明器具の構成例を示す正面図である。
【図４】実施の形態１に係る照明器具の構成例を示す左側面図である。
【図５】図３のＡ−Ａ’線で切断した断面図である。
【図６】図５のＲ部分の拡大図である。
【図７】図４のＢ−Ｂ’線で切断した断面図である。
【図８】実施の形態１に係る照明器具のルーバが係止している状態を示す正面図である。
【図９】実施の形態１に係る照明器具のルーバが係止している状態を示す左側面図である。
【図１０】図８のＣ−Ｃ’線で切断した断面図である。
【図１１】図１０のＳ部分の拡大図である。
【図１２】図９のＤ−Ｄ’線で切断した断面図である。
【図１３】実施の形態２に係る照明器具の構成例を示す正面図である。
【図１４】実施の形態２に係る照明器具の構成例を示す左側面図である。
【図１５】図１３のＥ−Ｅ’線で切断した断面図である。
【図１６】図１５のＴ部分の拡大図である。
【図１７】図１４のＦ−Ｆ’線で切断した断面図である。
【図１８】実施の形態２に係る照明器具のルーバが係止している状態を示す正面図である。
【図１９】実施の形態２に係る照明器具のルーバが係止している状態を示す左側面図である。
【図２０】図１８のＧ−Ｇ’線で切断した断面図である。
【図２１】図２０のＵ部分の拡大図である。
【図２２】図１９のＨ−Ｈ’線で切断した断面図である。
【図２３】実施の形態３に係る照明器具の構成例を示す正面図である。
【図２４】実施の形態３に係る照明器具の構成例を示す左側面図である。
【図２５】図２３のＩ−Ｉ’線で切断した断面図である。
【図２６】図２４のＪ−Ｊ’線で切断した断面図である。
【図２７】実施の形態３に係る照明器具のルーバが係止している状態を示す正面図である。
【図２８】実施の形態３に係る照明器具のルーバが係止している状態を示す左側面図である。
【図２９】図２７のＫ−Ｋ’線で切断した断面図である。
【図３０】図２８のＬ−Ｌ’線で切断した断面図である。
【発明を実施するための形態】
【００１６】
以下、この発明の実施の形態について図面を参照しながら詳細に説明する。図中同一または相当部分には同一符号を付す。なお、図中に描かれた構成要素の比率は、実際の比率ではない。特に、突起部や穴の部分は理解しやすいよう拡大して描いている。
【００１７】
（実施の形態１）
図１は、本発明の実施の形態１に係る照明器具の分解斜視図を示す。なお、本発明に係る照明器具１は、天井面などへの取り付け型または埋め込み型のいずれでもよい。照明器具１は、照明器具本体２と、ルーバ３と、軸部材４とから構成されている。照明器具本体２は下面に矩形状の開口部を有する。ルーバ３の形状は該開口部に装着できるようそれに沿った形状をしている。なお、ルーバ３を照明器具本体２に対し回動させるため、ルーバ３の外枠は照明器具本体２の開口部の内枠よりも小さくなるように形成する。軸部材４は、軸部４ａおよびつまみ部４ｂから構成されている。また、軸部材４は照明器具本体２とルーバ３とを固定するものであり、例えばネジやボルトおよびナットから構成されている。
【００１８】
照明器具本体２は、図示しない点灯回路やコネクタが収容される金属製の筐体から構成される。また、図示していないが、照明器具本体２のソケット部にランプが装着される。その他、反射板等を備えてもよい。照明器具本体２には、第１の軸保持部５ａと、掛受部６ａと、第１の突起部８ａとが形成されている。第１の軸保持部５ａは、軸部材４の軸部４ａが挿通する孔であり、照明器具本体２の２つの第１の面７ａの一方の端部寄りにそれぞれ形成されている。なお、第１の面７ａについては後に詳説する。
【００１９】
掛受部６ａは、引掛部６ｂが挿通し掛止できるよう、高さが幅より大きい長孔である。掛受部６ａは照明器具本体２のもう一方の端部の左側面に２つ形成されている。第１の突起部８ａは、後に詳説するが略１ｍｍ程度の内側に向いた略コの字状の突起であり、先端は面取りが施されている。また、第１の突起部８ａは、２つの第１の面７ａの下方に、下辺に沿って、下辺より少し短い程度の長さで延設されている。
【００２０】
ルーバ３は、２つの矩形状の板からなるルーバ枠３ａおよび所定の間隔で配置された複数枚のルーバ片３ｂから構成される。詳細は図示していないが、ルーバ片３ｂは、ルーバ枠３ａに対する向きを変化できるよう、例えばそれぞれのルーバ片３ｂの中心軸のみがルーバ枠３ａに固定されている。ルーバ枠３ａには、第２の軸保持部５ｂと、引掛部６ｂと、第２の突起部８ｂとが形成されている。
【００２１】
第２の軸保持部５ｂは、軸部材４の軸部４ａが挿通できる幅が高さより大きい長孔である。第２の軸保持部５ｂは、ルーバ枠３ａの２つの第２の面７ｂの一方の端部寄りに形成されている。なお、第２の面７ｂについても後に詳説する。引掛部６ｂは、掛受部６ａに掛止できるよう一部が突出した形状であり、さらに自然に外れることがないようＬ字型のフック形状となっている。なお、引掛部６ｂはルーバ枠３ａのもう一方の端部に形成されている。第２の突起部８ｂは、後に詳説するが略１ｍｍ程度の外側に向いた略Ｌの字状の突起である。また、第２の突起部８ｂは、２つの第２の面７ｂの上端に沿って、上辺より少し短い程度の長さで延設されている。
【００２２】
図２は、実施の形態１に係る照明器具の斜視図を示す。図３は実施の形態１に係る照明器具の正面図を示す。図４は、実施の形態１に係る照明器具の左側面図を示す。つまり、図２ないし図４の照明器具１は、図１に示した照明器具本体２にルーバ３を装着し、軸部材４を照明器具本体２に固定した状態を示す。この際、軸部材４の軸部４ａをルーバ３の第２の軸保持部５ｂおよび照明器具本体２の第１の軸保持部５ａに挿通させ、軸部材４を照明器具本体２に固定する。軸部材４は、ルーバ３を照明器具本体２に対し、水平方向に移動でき、かつ、軸部材４を軸として回動できるよう固定されている。照明器具本体２側に長孔を形成し、軸部材４をルーバ３に固定する構造でも構わない。
【００２３】
図２ないし図４に示すように、ルーバ３の引掛部６ｂは照明器具本体２の掛受部６ａに掛止されている。照明器具本体２には図示しないランプが装着されているため、光が開口部から下方に向かって発せられるが、ルーバ３のルーバ片３ｂの向きを変化させることによって光の配光を制御することができる。
【００２４】
図５は、図３のＡ−Ａ’線で切断した照明器具の断面図を示す。図６は、図５のＲ部分の拡大図を示す。また、図７は図４のＢ−Ｂ’線で切断した照明器具の断面図を示す。これらの図中のルーバ３については、ルーバ枠３ａのみ描いておりルーバ片３ｂを省略している。
【００２５】
前述したとおり、照明器具本体２の２つの第１の面７ａには下辺に沿って高さ略１ｍｍ程度の第１の突起部８ａが形成されている。図６に示すように、第１の突起部８ａはコの字形状であるが、突起の先端は面取りが施されている。また、ルーバ３の２つの第２の面７ｂにも同様に、上端に沿って高さ略１ｍｍ程度のＬ字形状の第２の突起部８ｂが形成されている。これらの突起部の位置関係は、図６に示すように、２つの突起部の頂点が少しずれた位置で、かつ、頂点同士が重なり合う位置になるように設定する。
【００２６】
ルーバ３を回動させる場合、まず、引掛部６ｂを掛受部６ａから外し、ルーバ３を第２の軸保持部５ｂの長穴に沿って移動させる。さらに、軸部材４を軸に、ルーバ３を回動させる。つまり、図２に示すＸ方向に移動・回動させる。この際、ルーバ３は、図２に示すＹを回動軸として回動する。照明器具本体２の２つの第１の面７ａおよびルーバ３の２つの第２の面７ｂは、この回動軸Ｙと直交する。つまり、第１の突起部８ａが形成されている第１の面７ａとは、照明器具本体２内面のルーバ３の回動軸Ｙに直交する面である。また、第２の突起部８ｂが形成されている第２の面７ｂとは、ルーバ３外面のルーバ３の回動軸Ｙに直交する面である。これらの面にそれぞれ第１の突起部８ａまたは第２の突起部８ｂが、頂点同士が重なり合うように形成されているため、ルーバ３が回動する途中にこれらの突起部が接触し、ルーバ３は係止する。
【００２７】
図８は、実施の形態１に係る照明器具のルーバが係止している状態の正面図を示す。また、図９は、ルーバが係止している状態の左側面図を示す。図１０は、図８のＣ−Ｃ’線で切断した照明器具の断面図を示す。図１１は、図１０のＳ部分の拡大図を示す。また、図１２は図９のＤ−Ｄ’線で切断した照明器具の断面図を示す。これらの図についても同様に、図中のルーバ３については、ルーバ枠３ａのみ描いておりルーバ片３ｂを省略している。
【００２８】
図８ないし図１２に示すように、照明器具本体２の第１の突起部８ａとルーバ３の第２の突起部８ｂが、軸部分から離れた方の端部において接触し、ルーバ３の回動が停止している状態となっている。図１１に示すように、第１の突起部８ａと第２の突起部８ｂの頂点が重なり合っているためである。さらに、突起部同士による摩擦力が働くためでもある。また、ルーバ３を完全に回動させたい場合には、回動方向に力を加えることによって簡単に係止を外すことができる。これは、第１の突起部８ａの先端に面取りが施されているためである。なお、ルーバ３を下方から上方へ回動させ再び照明器具本体２の開口部を覆う場合も同様である。
【００２９】
このように、本実施の形態１の照明器具１によれば、照明器具本体からのルーバの脱落を２重に防止することができる。つまり、引掛箇所が正しく掛止されていない場合でも、振動などによりルーバが落ちることはない。また、ランプ交換の際に不注意により頭上にルーバが落ちることもない。さらに、回動方向に力を加えることによって簡単に係止箇所が外れるため、ランプ交換時にドライバーなどの工具も必要なく簡単に作業ができる。
【００３０】
また、このようなルーバを回動させることができる照明器具は、回動させる構造上、照明器具本体とルーバ枠の間に隙間を持たせなければならず、この隙間が光り漏れの原因になる場合がある。しかし、本実施の形態１では、図５および図６に示すように、第１の突起部８ａと第２の突起部８ｂがそれぞれの頂点が重なる状態で、第１の面または第２の面の各長径方向に延設されている。そのため、照明器具本体とルーバ枠の隙間による光漏れが生じず、光漏れ防止のためのパッキン等の二次加工をする必要がない。
【００３１】
本実施の形態１では、光漏れ防止の都合上、第１の突起部を第１の面の下辺に沿って下辺より少し短い程度の長さで加工し、第２の突起部を第２の面の上端に沿って上辺より少し短い長さで加工した。しかし、ルーバの取り外しの利便性を考慮して、第１の突起部および第２の突起部を、接触箇所のみに形成してもよい。また、係止の安定性を考慮し、接触時に突起部全箇所に渡って接触するようルーバの第２の突起部を傾斜させて延設してもよい。
【００３２】
また、本実施の形態１に係る第１の突起部および第２の突起部の位置および形状は一例であり、図に示した位置および形状に限られない。例えば、第１の突起部を第１の面の下端にＬ字状に突出させて形成したり、第２の突起部を第２の面の上方にコの字状に形成してもよい。さらに、本実施の形態１では、図１１に示すように第１の突起部を略コの字の先端を面取りした形状に形成したが、第２の突起部のみ、または第１の突起部と第２の突起部の両方の突起に面取りを施してもよい。
【００３３】
（実施の形態２）
本実施の形態２では、第１の面７ａおよび第２の面７ｂに、突起部同士の接触以外のルーバの係止手段を備える場合について述べる。本実施の形態２に係る照明器具１の構成例は、実施の形態１の図１および図２に示した照明器具１と詳細を除き同様であり、照明器具１は、照明器具本体２と、ルーバ３と、軸部材４とから構成されている。以下、詳細に説明する。
【００３４】
図１３は実施の形態２に係る照明器具の正面図を示す。図１４は、実施の形態２に係る照明器具の左側面図を示す。実施の形態２に係る照明器具本体２は、第１の軸保持部５ａと掛受部６ａについては実施の形態１と同様であるが、第１の突起部８ａに替わり嵌合穴９ｂを備えている点で実施の形態１と異なる。また、ルーバ３については、第２の軸保持部５ｂと引掛部６ｂについては実施の形態１と同様であるが、第２の突起部８ｂに替わり凸部９ａを備えている点で実施の形態１と異なる。
【００３５】
図１５は、図１３のＥ−Ｅ’線で切断した照明器具の断面図を示す。図１６は、図１５のＴ部分の拡大図を示す。また、図１７は図１４のＦ−Ｆ’線で切断した照明器具の断面図を示す。これらの図中のルーバ３については、ルーバ枠３ａのみ描いておりルーバ片３ｂを省略している。
【００３６】
嵌合穴９ｂは、水平方向の穴と傾斜した穴が結合したような長孔であり、照明器具本体２の２つの第１の面７ａの掛受部６ａ寄りに形成されている。凸部９ａは、ルーバ３の２つの第２の面７ｂの上方、引掛部６ｂ寄りに形成されている矩形上の突起である。図１６に示すように、凸部９ａの突起の先端は面取りが施されている。掛受部６ａと引掛部６ｂによりルーバが掛止されている状態では、図１５ないし図１７に示すように、嵌合穴９ｂの水平方向の部分の穴から凸部９ａが突出している。
【００３７】
引掛部６ｂを掛受部６ａから外し、ルーバ３を水平移動させ回動させると、ルーバ３は回動途中で係止する。なお、ルーバ３の移動・回動の際、ルーバ３の凸部９ａは照明器具本体２の嵌合穴９ｂから突出している。つまり、凸部９ａは、嵌合穴９ｂに沿って移動・回動する。図１８は、実施の形態２に係る照明器具のルーバが係止している状態の正面図を示す。また、図１９は、ルーバが係止している状態の左側面図を示す。図２０は、図１８のＧ−Ｇ’線で切断した照明器具の断面図を示す。図２１は、図２０のＵ部分の拡大図を示す。また、図２２は図１９のＨ−Ｈ’線で切断した照明器具の断面図を示す。これらの図についても同様に、図中のルーバ３については、ルーバ枠３ａのみ描いておりルーバ片３ｂを省略している。
【００３８】
図１８ないし図２２に示すように、ルーバ３の凸部９ａが照明器具本体２の嵌合穴９ｂの下端に接触し、ルーバ３の回動が停止している状態となっている。これは、凸部９ａと嵌合穴９ｂによる摩擦力が働くためでもある。なお、凸部９ａの位置ならびに嵌合穴９ｂの大きさ、位置および傾斜の角度は、ルーバ３が所定の位置で係止するように予め設計しておく。ルーバ３を完全に回動させたい場合には、回動方向に力を加えることによって簡単に係止を外すことができる。これは、凸部９ａに面取りが施されているためである。なお、ルーバ３を下方から上方へ回動させ再び照明器具本体２の開口部を覆う場合も同様である。
【００３９】
このように、本実施の形態２の照明器具１によれば、照明器具本体からのルーバの脱落を２重に防止することができる。つまり、引掛箇所が正しく掛止されていない場合でも、振動などによりルーバが落ちることはない。また、ランプ交換の際に不注意により頭上にルーバが落ちることもない。さらに、回動方向に力を加えることによって簡単に係止箇所が外れるため、ランプ交換時にドライバーなどの工具も必要なく簡単に作業ができる。
【００４０】
本実施の形態２では、嵌合穴を水平方向の穴と傾斜した穴が結合したような長孔としたが、穴の形状は凸部が嵌合し、移動・回動できる形状であればよい。凸部の形状も嵌合穴に合わせて変更可能である。なお、凸部の大きさもルーバの大きさ・重量に合わせ自重で落ちることのないように設計すればよい。また、凸部および嵌合穴の位置も任意に変更可能である。本実施の形態２では、図１８に示すように照明器具本体２に嵌合穴を空ける必要があるが、光の配光および美観を考慮して、穴の周囲に覆いを形成してもよい。または、嵌合穴の部分を凸部が移動・回動できるような凹部として形成してもよい。
【００４１】
（実施の形態３）
本実施の形態３では、第１の面７ａおよび第２の面７ｂ以外の位置にルーバの係止手段を備える場合について述べる。本実施の形態３に係る照明器具１も、照明器具本体２と、ルーバ３と、軸部材４とから構成されている。軸部材４の構造は、実施の形態１と同様である。
【００４２】
図２３は、実施の形態３に係る照明器具の正面図を示す。図２４は、実施の形態３に係る照明器具の左側面図を示す。図２５は、図２３のＩ−Ｉ’線で切断した断面図を示す。また、図２６は、図２４のＪ−Ｊ’線で切断した断面図を示す。これらの図中のルーバ３については、ルーバ枠３ａのみ描いておりルーバ片３ｂを省略している。
【００４３】
図２３ないし図２６に示すように、実施の形態３に係る照明器具本体２にも、第１の軸保持部５ａと、掛受部６ａと、第１の突起部８ａとが形成されている。第１の軸保持部５ａの構造は、実施の形態１と同様である。掛受部６ａは、引掛部６ｂが挿通できる孔を有する部材であり、照明器具に対して図２６に示すＺ方向に移動可能である。掛受部６ａは照明器具本体２の第３の面１０ａに２つ形成されている。ここで、第３の面１０ａとは、照明器具本体２内面のルーバ３の回動する外周面に対向する面を指す。第１の突起部８ａは、内側に向いた突起であり、先端は面取りが施されている。また、第１の突起部８ａは、第３の面１０ａの下方に、下辺に沿って、下辺より少し短い程度の長さで延設されている。
【００４４】
ルーバ３は、ルーバ枠３ａおよび図示しないルーバ片から構成される。実施の形態３では、ルーバ枠３ａは３枚の矩形状の板からなり、照明器具本体２に掛止された状態で、照明器具本体２の開口に向かって掛止部側が底辺の、略コの字形状をしている。ルーバ枠３ａには、第２の軸保持部５ｂと、引掛部６ｂと、第２の突起部８ｂとが形成されている。第２の軸保持部５ｂの形状については、実施の形態１と異なり、軸部材４の軸部４ａが挿通できる第１の軸保持部５ａと同様の円形の孔である。なお、位置については実施の形態１よりもややルーバ枠３ａ下部寄りに形成する。
【００４５】
引掛部６ｂは、掛受部６ａに掛止できるよう一部が突出した形状であり、図２６に示すように例えばネジなどにより構成される。なお、引掛部６ｂはルーバ枠３ａの第４の面１０ｂに２つ形成されている。ここで、第４の面１０ｂとは、ルーバ３の回動する外周面をなす面を指す。第２の突起部８ｂは、外側に向いた突起であり、第４の面１０ｂの上端に沿って、上辺より少し短い程度の長さで延設されている。
【００４６】
掛受部６ａを図２６に示すＺ方向に移動させ引掛部６ｂを外し、ルーバ３を回動させると、ルーバ３は回動途中で係止する。この際、本実施の形態３ではルーバの水平方向の移動は不要である。図２７は、実施の形態３に係る照明器具のルーバが係止している状態の正面図を示す。図２８は、実施の形態３に係る照明器具のルーバが係止している状態の左側面図を示す。図２９は、図２７のＫ−Ｋ’線で切断した断面図を示す。図３０は、図２８のＬ−Ｌ’線で切断した断面図である。これらの図についても同様に、図中のルーバ３については、ルーバ枠３ａのみ描いておりルーバ片３ｂを省略している。
【００４７】
図２７ないし図３０に示すように、ルーバ３の第２の突起部８ｂが照明器具本体２の第１の突起部８ａに接触し、ルーバ３の回動が停止している状態となっている。図３０に示すように、第１の突起部８ａおよび第２の突起部８ｂが、２つの突起部の頂点が少しずれた位置で、かつ、頂点同士が重なり合う位置で接触するためである。また、第１の突起部８ａと第２の突起部８ｂによる摩擦力が働くためでもある。なお、第１の突起部８ａと引掛部６ｂが接触しないよう、第１の突起部８ａ、第２の突起部８ｂおよび引掛部６ｂの位置・突起の高さを予め設計しておく必要がある。
【００４８】
ルーバ３を完全に回動させたい場合には、回動方向に力を加えることによって簡単に係止を外すことができる。これは、第１の突起部８ａに面取りが施されているためである。なお、ルーバ３を下方から上方へ回動させ再び照明器具本体２の開口部を覆う場合も同様である。
【００４９】
このように、本実施の形態３の照明器具１によれば、照明器具本体からのルーバの脱落を２重に防止することができる。つまり、引掛箇所が正しく掛止されていない場合でも、振動などによりルーバが落ちることはない。また、ランプ交換の際に不注意により頭上にルーバが落ちることもない。さらに、回動方向に力を加えることによって簡単に係止箇所が外れるため、ランプ交換時にドライバーなどの工具も必要なく簡単に作業ができる。
【００５０】
本実施の形態３に係る第１の突起部および第２の突起部の位置および形状は一例であり、図に示した位置および形状に限られない。例えば、引掛部と重ならないよう第１の突起部および第２の突起部の長さを短く形成してもよい。また、例えば、第１の突起部を第１の面の下端にＬ字状に突出させて形成したり、第２の突起部を第２の面の上方にコの字状に形成してもよい。さらに、本実施の形態３では、第１の突起部の先端を面取りした形状に形成したが、第２の突起部のみ、または第１の突起部と第２の突起部の両方の突起に面取りを施してもよい。
【００５１】
また、本実施の形態３では、第２の軸保持部を長穴として形成せず、ルーバがスライドしない照明器具の場合について説明したが、実施の形態１または２のようにルーバがスライドする照明器具としてもよい。この場合、例えば、回動時に引掛部の先端が第３の面の第１の突起部に接触するよう設計する。さらに、照明器具本体に第１の突起部を設けなくとも、ルーバにのみ第２の突起部を設け、ルーバ回動時に第２の突起部が第３の面に接触するよう設計することによって係止させることも可能である。
【００５２】
本実施の形態の図中において、ルーバの高さは説明の都合上厚めに描いているが、照明器具本体のランプ設置空間を広く取るために薄く形成してもよい。また、ルーバ枠は２または３枚の矩形状の板から構成される例を説明したが、４枚の板から構成される囲い形状のものを用いてもよい。
【００５３】
本実施の形態および図で説明した軸部材は一例であり、ルーバを照明器具に対して回動可能に保持できる軸となる部材ならば何を用いてもよい。また、軸保持部についても、ルーバを保持・回動できるように、照明器具本体およびルーバに加工が施されていればよい。例えば、実施の形態１および２で示した第２の軸保持部のような長孔は、ルーバに形成されている必要はなく、照明器具本体に形成されていてもよい。また、長孔は、Ｌ字型やＵ字型に形成し、ルーバが回動しやすいようにしてもよい。
【００５４】
また、図中において示した引掛部および掛受部の形状・位置は一例であり、互いに掛止できる位置・形状であればよい。例えば位置については、引掛部および掛受部は照明器具本体またはルーバのいずれに形成してもよく、また、それぞれのルーバの回動軸に直交する面に形成してもよい。また、形状については、実施の形態１および２では引掛部はＬ字のフックのような形状の例について説明したが、先をコの字に突出させたような構造でもよい。さらに、引掛部および掛受部の数も適宜変更可能である。例えば、実施の形態３のようなルーバ枠の場合には、もう１箇所中央に引掛部および掛受部を備えてもよい。
【００５５】
なお、図中では説明の都合上、照明器具本体から引掛部および軸部材が突出して描かれているが、見栄えをよくするため周囲に覆いを形成してもよい。または、照明器具本体を２層の構造とし、内側の１層にのみ掛受部や軸保持部の穴を形成してもよい。
【００５６】
発明の実施の形態について説明したが、本発明は上述した実施形態に限定されることはなく、本発明の範囲内で種々の実施形態が可能である。
【００５７】
その他、本発明の好適な変形として、以下の構成が含まれる。
【００５８】
本発明の第１の観点に係る照明器具について、好ましくは、前記係止手段は、前記照明器具本体内面の前記ルーバの回動軸に直交する第１の面と、前記ルーバ外面の前記ルーバの回動軸に直交する第２の面とに設けられていることを特徴とする。
【００５９】
さらに好ましくは、前記係止手段は、前記照明器具本体の内面に設けられた第１の突起部と、前記ルーバの外面に設けられた第２の突起部とが接触することにより前記ルーバを係止することを特徴とする。
【００６０】
また、好ましくは、前記第１の突起部は、前記照明器具本体の前記第１の面の下部に下辺に沿って設けられており、
前記第２の突起部は、前記ルーバの前記第２の面の上部に上辺に沿って設けられていることを特徴とする。
【００６１】
好ましくは、前記第１の突起部は高さ略１ｍｍの略コの字状の突起であり、前記第２の突起部は高さ略１ｍｍの略Ｌ字状の突起であり、それぞれの突起の頂点がずれた状態で、かつ、係止する際に重なり合う状態で設けられていることを特徴とする。
【００６２】
さらに、好ましくは、前記第１の突起部または前記第２の突起部のいずれか一方の突起の端部に面取りが施されていることを特徴とする。
【００６３】
また、好ましくは、前記照明器具本体は前記掛受部を備え、前記ルーバは前記引掛部を備えることを特徴とする。
【符号の説明】
【００６４】
１    照明器具
２    照明器具本体
３    ルーバ
３ａ  ルーバ枠
３ｂ  ルーバ片
４    軸部材
４ａ  軸部
４ｂ  つまみ部
５ａ  第１の軸保持部
５ｂ  第２の軸保持部
６ａ  掛受部
６ｂ  引掛部
７ａ  第１の面
７ｂ  第２の面
８ａ  第１の突起部
８ｂ  第２の突起部
９ａ  凸部
９ｂ  嵌合穴
１０ａ  第３の面
１０ｂ  第４の面
【図１】
2010262837.tif 000003
【図２】
2010262837.tif 000004
【図３】
2010262837.tif 000005
【図４】
2010262837.tif 000006
【図５】
2010262837.tif 000007
【図６】
2010262837.tif 000008
【図７】
2010262837.tif 000009
【図８】
2010262837.tif 000010
【図９】
2010262837.tif 000011
【図１０】
2010262837.tif 000012
【図１１】
2010262837.tif 000013
【図１２】
2010262837.tif 000014
【図１３】
2010262837.tif 000015
【図１４】
2010262837.tif 000016
【図１５】
2010262837.tif 000017
【図１６】
2010262837.tif 000018
【図１７】
2010262837.tif 000019
【図１８】
2010262837.tif 000020
【図１９】
2010262837.tif 000021
【図２０】
2010262837.tif 000022
【図２１】
2010262837.tif 000023
【図２２】
2010262837.tif 000024
【図２３】
2010262837.tif 000025
【図２４】
2010262837.tif 000026
【図２５】
2010262837.tif 000027
【図２６】
2010262837.tif 000028
【図２７】
2010262837.tif 000029
【図２８】
2010262837.tif 000030
【図２９】
2010262837.tif 000031
【図３０】
2010262837.tif 000032